(57)【要約】【課題】１日のうちの通常モードや節電モードの時間帯の設定に際して使用者に煩わしさを感じさせるのを抑制する。【解決手段】通常モードと通常モードよりも節電する節電モードとのうちの何れかのモードを実行モードとして実行する便座装置において、使用者により操作部の第１操作が行なわれると、１日のうちの異なる複数の時間帯から対象時間帯を切り替えて設定し、使用者により操作部の第２操作が行なわれると、対象時間帯の実行モードを通常モードと節電モードとで切り替えて設定する、ことにより複数の時間帯のそれぞれの実行モードを設定する。【選択図】図４
2018204381.tif 000002
【特許請求の範囲】
【請求項１】
通常モードと前記通常モードよりも節電する節電モードとのうちの何れかのモードを実行モードとして実行する制御部を備える便座装置であって、
使用者が操作可能な操作部を備え、
前記制御部は、使用者により前記操作部の第１操作が行なわれると、１日のうちの異なる複数の時間帯から対象時間帯を切り替えて設定し、使用者により前記操作部の第２操作が行なわれると、前記対象時間帯の前記実行モードを前記通常モードと前記節電モードとで切り替えて設定する、ことにより前記複数の時間帯のそれぞれの前記実行モードを設定する、
便座装置。
【請求項２】
請求項１記載の便座装置であって、
情報を表示する表示部を備え、
前記制御部は、前記複数の時間帯のそれぞれの前記実行モードを前記表示部に表示させる、
便座装置。
【請求項３】
請求項２記載の便座装置であって、
前記制御部は、前記複数の時間帯のそれぞれの前記実行モードの表示が現在の時間帯から順に並ぶように前記表示部の表示を周期的に更新する、
便座装置。
【請求項４】
請求項２または３記載の便座装置であって、
前記表示部は、便座の温度、使用者の局部を洗浄するための洗浄水の温度、洗浄後に前記局部を乾燥させるための温風の温度のうちの少なくとも１つである温度情報と、前記複数の時間帯のそれぞれの前記実行モードと、を切り替えて表示する、
便座装置。
【請求項５】
請求項４記載の便座装置であって、
前記制御部は、使用者により前記操作部の第３操作が行なわれると、前記温度情報と前記複数の時間帯のそれぞれの前記実行モードとを切り替えて前記表示部に表示させる、
便座装置。
【請求項６】
請求項４記載の便座装置であって、
使用者の前記便座への着座を検知する着座センサを備え、
前記制御部は、前記着座センサにより使用者の前記便座への着座を検知していないときには、前記温度情報と前記複数の時間帯のそれぞれの前記実行モードとのうちの一方を前記表示部に表示させ、前記着座センサにより使用者の前記便座への着座を検知しているときには、前記温度情報と前記複数の時間帯のそれぞれの前記実行モードとのうちの他方を前記表示部に表示させる、
便座装置。
【発明の詳細な説明】
【技術分野】
【０００１】
本発明は、便座装置に関する。
【背景技術】
【０００２】
従来、この種の便座装置としては、通常モードと節電モードとを有する便座装置において、使用者により節電モード指示スイッチが操作されると、通常モードと節電モードとを切り替えると共に節電モードの開始時刻または終了時刻のデータとして記憶部に記憶させるものが提案されている（例えば、特許文献１参照）。この便座装置では、節電モードの開始時刻や終了時刻のデータを記憶部に記憶させると、その後は、その開始時刻や終了時刻のデータに従って通常モードと節電モードとを自動的に切り替える（節電モードの開始や終了を自動的に行なう）。また、この便座装置は、表示ランプ群として、節電運転表示ランプを備える。
【先行技術文献】
【特許文献】
【０００３】
【特許文献１】特開２００１−１２３５１０号公報
【発明の概要】
【発明が解決しようとする課題】
【０００４】
上述の便座装置では、通常モードと節電モードとの切替（節電モードの開始や終了）を所望する時刻に、使用者が節電モード指示スイッチを操作する必要がある。このため、１日（２４時間）のうちで通常モードと節電モードとの切替を所望する回数が多いと、使用者が節電モード指示スイッチを操作する必要のあるタイミングの数が多くなり、使用者に煩わしさを感じさせやすい。
【０００５】
本発明の便座装置は、１日のうちの通常モードや節電モードの時間帯の設定に際して使用者に煩わしさを感じさせるのを抑制することを主目的とする。
【課題を解決するための手段】
【０００６】
本発明の便座装置は、上述の主目的を達成するために以下の手段を採った。
【０００７】
本発明の便座装置は、
通常モードと前記通常モードよりも節電する節電モードとのうちの何れかのモードを実行モードとして実行する制御部を備える便座装置であって、
使用者が操作可能な操作部を備え、
前記制御部は、使用者により前記操作部の第１操作が行なわれると、１日のうちの異なる複数の時間帯から対象時間帯を切り替えて設定し、使用者により前記操作部の第２操作が行なわれると、前記対象時間帯の前記実行モードを前記通常モードと前記節電モードとで切り替えて設定する、ことにより前記複数の時間帯のそれぞれの前記実行モードを設定する、
ことを要旨とする。
【０００８】
この本発明の便座装置では、使用者により操作部の第１操作が行なわれると、１日のうちの異なる複数の時間帯から対象時間帯を切り替えて設定し、使用者により操作部の第２操作が行なわれると、対象時間帯の実行モードを通常モードと節電モードとで切り替えて設定する、ことにより複数の時間帯のそれぞれの実行モードを設定する。これにより、使用者は、一度の操作タイミングで１日のうちの複数の時間帯のそれぞれの実行モードを設定することができる。この結果、１日のうちの通常モードと節電モードとの切替を所望する各タイミングで使用者が操作部を操作する必要があるものに比して、使用者に煩わしさを感じさせるのを抑制することができる。ここで、複数の時間帯の総時間は、２４時間（例えば、各３時間の８区分など）であるものとしてもよいし、２４時間未満（例えば、各３時間の４区分や各４時間の３区分など）であるものとしてもよい。
【０００９】
こうした本発明の便座装置において、情報を表示する表示部を備え、前記制御部は、前記複数の時間帯のそれぞれの前記実行モードを前記表示部に表示させるものとしてもよい。こうすれば、１日のうちの複数の時間帯のそれぞれの実行モード（通常モードと節電モードとの切替タイミング）を使用者に把握可能にすることができる。
【００１０】
表示部を備える態様の本発明の便座装置において、前記制御部は、前記複数の時間帯のそれぞれの前記実行モードの表示が現在の時間帯から順に並ぶように前記表示部の表示を周期的に更新するものとしてもよい。こうすれば、通電モードと節電モードとの切替タイミングを使用者により容易に把握可能にすることができる。
【００１１】
表示部を備える態様の本発明の便座装置において、前記表示部は、便座の温度、使用者の局部を洗浄するための洗浄水の温度、洗浄後に前記局部を乾燥させるための温風の温度のうちの少なくとも１つである温度情報と、前記複数の時間帯のそれぞれの前記実行モードと、を切り替えて表示するものとしてもよい。こうすれば、温度情報の表示と複数の時間帯のそれぞれの実行モードの表示とをそれぞれ行なうものに比して、表示部の表示用部材（例えばランプなど）の数を削減したり、表示部の消費電力を低減したりすることができる。
【００１２】
この場合、前記制御部は、使用者により前記操作部の第３操作が行なわれると、前記温度情報と前記複数の時間帯のそれぞれの前記実行モードとを切り替えて前記表示部に表示させるものとしてもよい。こうすれば、使用者による操作部の第３操作に応じて、表示部の表示内容を切り替えることができる。
【００１３】
また、この場合、使用者の前記便座への着座を検知する着座センサを備え、前記制御部は、前記着座センサにより使用者の前記便座への着座を検知していないときには、前記温度情報と前記複数の時間帯のそれぞれの前記実行モードとのうちの一方を前記表示部に表示させ、前記着座センサにより使用者の前記便座への着座を検知しているときには、前記温度情報と前記複数の時間帯のそれぞれの前記実行モードとのうちの他方を前記表示部に表示させるものとしてもよい。こうすれば、使用者が便座に着座しているか否かに応じて、表示部の表示内容を切り替えることができる。
【００１４】
本発明の便座装置において、前記節電モードは、前記通常モードに比して、便座を加温するための便座ヒータ、使用者の局部に噴射するための洗浄水を加温する温水ヒータ、洗浄後の前記局部の乾燥に用いられる乾燥ヒータのうちの少なくとも１つについて節電するモードであるものとしてもよい。
【図面の簡単な説明】
【００１５】
【図１】本実施形態としての便座装置１０および便器１の外観を示す外観図である。
【図２】便座装置本体２０の構成の概略を示す構成図である。
【図３】操作パネル１６の外観を示す外観図である。
【図４】制御装置４０により実行される複数時間帯モード設定ルーチンの一例を示すフローチャートである。
【図５】１日のうちの複数の時間帯のそれぞれの実行モードを設定する様子を示す説明図である。
【図６】複数時間帯モード表示部１８ｆの表示を切り替える様子を示す説明図である。
【図７】操作パネル１６Ｂの外観を示す外観図である。
【図８】操作パネル１６Ｃの外観を示す外観図である。
【図９】操作パネル１６Ｄの外観を示す外観図である。
【図１０】操作パネル１６Ｅの外観を示す外観図である。
【図１１】操作パネル１６Ｆの外観を示す外観図である。
【図１２】操作パネル１６Ｇの外観を示す外観図である。
【図１３】操作パネル１６Ｈの外観を示す外観図である。
【発明を実施するための形態】
【００１６】
次に、本発明を実施するための形態について説明する。図１は、本実施形態としての便座装置１０および便器１の外観を示す外観図であり、図２は、便座装置本体２０の構成の概略を示す構成図であり、図３は、操作パネル１６の外観を示す外観図である。
【００１７】
本実施形態の便座装置１０は、図１に示すように、便器１の上面に設置され、便座装置本体２０と、便座装置本体２０に対して開閉可能に支持された便座１２と、便座１２と同様に便座装置本体２０に対して開閉可能に支持された便蓋１４と、各種の操作や表示が可能な操作パネル１６と、を備える。
【００１８】
便座装置本体２０は、図２に示すように、便座１２を加温するための便座ヒータ２１や、使用者の局部に図示しない洗浄ノズルから噴射する洗浄水を加温するための温水ヒータ２２、洗浄後の局部の乾燥に用いられる乾燥ヒータ２３、乾燥ヒータ２３を介して送風を行なう乾燥ファン２４を備える。また、便座装置本体２０は、便座装置１０全体の制御を行なう制御装置４０も備える。
【００１９】
操作パネル１６は、図３に示すように、使用者が操作可能な操作部１７と、複数のランプ（例えばＬＥＤランプ）により情報を表示する表示部１８と、を備える。操作部１７は、洗浄水により使用者のおしりを洗浄するためのおしり洗浄スイッチ１７ａや、ビデとして用いられるビデ洗浄スイッチ１７ｂ、洗浄強さを調節するための洗浄強さ調節スイッチ１７ｃ、洗浄後にぬれたおしりを乾燥させるためおよび乾燥中に温風の温度（乾燥温度）を調節するための乾燥スイッチ１７ｄ、便座１２の温度（便座温度）を調節するための便座温度調節スイッチ１７ｅ、洗浄水の温度（温水温度）を調節するための温水温度調節スイッチ１７ｆ、おしり洗浄やビデ洗浄、乾燥を停止させるための停止スイッチ１７ｇ、通常モードおよびそれよりも節電する節電モードから制御装置４０により実行する実行モードを設定するための節電スイッチ１７ｈや変更スイッチ１７ｉ、電源スイッチ１７ｊを有する。
【００２０】
表示部１８は、洗浄強さを表示する洗浄強さ表示部１８ａや、乾燥温度を表示する乾燥温度表示部１８ｂ、便座温度を表示する便座温度表示部１８ｃ、温水温度を表示する表示する温水温度表示部１８ｄ、現在の実行モード（通常モードまたは節電モード）を表示する現在モード表示部１８ｅ、１日のうちの異なる複数の時間帯のそれぞれの実行モード（通常モードまたは節電モード）を表示する複数時間帯モード表示部１８ｆを有する。図３では、各ランプについて、「白丸印」は消灯を示し、「黒丸印」は点灯を示す。洗浄強さ表示部１８ａや乾燥温度表示部１８ｂ、便座温度表示部１８ｃ、温水温度表示部１８ｄは、ランプの点灯位置を切り替えることにより洗浄強さや乾燥温度、便座温度、温水温度を表示するものとした。現在モード表示部１８ｅは、現在の実行モードが通常モードのときにはランプを消灯し、現在の実行モードが節電モードのときにはランプを点灯するものとした。複数時間帯モード表示部１８ｆは、１日（２４時間）を基準時刻から各３時間の８個に区分し、０（基準時刻）〜３時間後や３〜６時間後などの複数の時間帯のそれぞれについて、実行モードが通常モードのときにはランプを消灯し、実行モードが節電モードのときにはランプを点灯するものとした。ここで、基準時刻は、複数の時間帯の全ての実行モードの設定が終了した時刻（後述の複数時間帯モード設定ルーチンの実行が終了した時刻）である。
【００２１】
制御装置４０は、ＣＰＵ４２やＲＯＭ４４、ＲＡＭ４６、タイマ４８を備えるマイクロプロセッサとして構成されている。タイマ４８は、２４時間を１周期として計時を繰り返すと共に、複数の時間帯の全ての実行モードの設定が終了したとき（後述の複数時間帯モード設定ルーチンの実行が終了したとき）に値０にリセットしてから計時を再開する。図２に示すように、制御装置４０には、操作パネル１６からの操作信号や、使用者の便座１２への着座を検知する着座センサ２８からの着座信号などが入力されている。また、制御装置４０には、着座センサ以外の各種センサ、例えば、便座１２の温度（便座温度）を検出する温度センサや、洗浄水の温度（温水温度）の温度を検出する温度センサ、乾燥温度を検出する温度センサなどからの検出信号も入力されている。制御装置４０からは、便座ヒータ２１（ヒータスイッチ）への駆動信号や、温水ヒータ２２（ヒータスイッチ）への駆動信号、乾燥ヒータ２３（ヒータスイッチ）への駆動信号、乾燥ファン２４への駆動信号、操作パネル１６への表示制御信号などが出力されている。また、制御装置４０からは、水道管と洗浄ノズルとを接続する給水路に設けられた開閉弁への駆動信号や、洗浄ノズルに供給する洗浄水の流量を調節する流量調節弁への駆動信号なども出力されている。
【００２２】
こうして構成された便座装置１０では、制御装置４０は、１日のうちの複数の時間帯のそれぞれの実行モードを設定していないときに（例えば、電源がオンされてから後述の複数時間帯モード設定ルーチンを１回も実行していないときに）、使用者により節電スイッチ１７ｈが短押しされると、実行モードを通常モードと節電モードとで切り替える（現在のモードとは異なるモードにする）。また、複数の時間帯のそれぞれの実行モードを設定した後に（例えば、後述の複数時間帯モード設定ルーチンの実行を終了した後に）、使用者により節電スイッチ１７ｈが短押しされると、実行モードを通常モードと節電モードとで切り替え、その後に所定時間（例えば数時間程度）が経過する或いは時間帯が切り替わる（例えば、０〜３時間後の時間帯から３〜６時間後の時間帯に切り替わる）と、複数の時間帯のそれぞれの実行モードに従う。なお、「短押し」や「長押し」は、それぞれ、所定時間（例えば２秒や３秒、５秒など）未満や所定時間以上の押下をいう。
【００２３】
制御装置４０は、実行モードが通常モードのときには、便座ヒータ２１や温水ヒータ２２、乾燥ヒータ２３について通常制御を行なう。便座ヒータ２１の通常制御では、便座温度調節スイッチ１７ｅからの操作信号に基づいて目標便座温度を設定し、目標便座温度と温度センサからの便座温度との差分に基づいて便座ヒータ２１（ヒータスイッチ）を駆動する。温水ヒータ２２の通常制御では、温水温度調節スイッチ１７ｆからの操作信号に基づいて目標温水温度を設定し、目標温水温度と温度センサからの温水温度との差分に基づいて温水ヒータ２２（ヒータスイッチ）を駆動する。乾燥ヒータ２３の通常制御では、乾燥スイッチ１７ｄからの操作信号に基づいて目標乾燥温度を設定し、目標乾燥温度と温度センサからの乾燥温度との差分に基づいて乾燥ヒータ２３（ヒータスイッチ）を駆動する。なお、乾燥を行なう場合、乾燥ヒータ２３の駆動に加えて、乾燥ファン２４を駆動する。
【００２４】
また、制御装置４０は、実行モードが節電モードのときには、便座ヒータ２１や温水ヒータ２２、乾燥ヒータ２３について節電制御を行なう。便座ヒータ２１の節電制御では、通常制御に比して目標便座温度を低くして便座ヒータ２１（ヒータスイッチ）を駆動する、或いは、便座ヒータ２１を駆動停止する。温水ヒータ２２の節電制御では、通常制御に比して目標温水温度を低くして温水ヒータ２２（ヒータスイッチ）を駆動する、或いは、温水ヒータ２２を駆動停止する。乾燥ヒータ２３の節電制御では、通常制御に比して目標乾燥温度を低くして乾燥ヒータ２３（ヒータスイッチ）を駆動する、或いは、乾燥ヒータ２３を駆動停止する。なお、便座ヒータ２１や温水ヒータ２２、乾燥ヒータ２３のうちの一部について節電制御を行なうと共に残余について通常制御を行なうものとしてもよい。また、便座ヒータ２１や温水ヒータ２２、乾燥ヒータ２３以外について節電を行なう（例えば、制御装置４０を省電力モードにするなど）ものとしてもよい。
【００２５】
次に、こうして構成された便座装置１０の動作、特に、１日のうちの異なる複数の時間帯のそれぞれの実行モードを設定する際の動作について説明する。図４は、制御装置４０により実行される複数時間帯モード設定ルーチンの一例を示すフローチャートである。このルーチンは、使用者により操作パネル１６の節電スイッチ１７ｈが長押しされたときに実行される。なお、節電スイッチ１７ｈが長押しされると、複数の時間帯の全ての実行モードの設定が終了するまで（本ルーチンの実行が終了するまで）現在モード表示部１８ｅのランプを点滅させるものとした。また、本ルーチンの説明では、図３に示したように、１日（２４時間）を基準時刻から各３時間の８個に区分した場合について説明する。
【００２６】
複数時間帯モード設定ルーチンが実行されると、制御装置４０は、対象時間帯に最初の時間帯（０〜３時間後の時間帯）を設定し（ステップＳ１００）、複数時間帯モード表示部１８ｆにおける対象時間帯のランプを点滅させる（ステップＳ１１０）。対象時間帯のランプを点滅させることにより、対象時間帯が０〜３時間後の時間帯や３〜６時間後の時間帯などのうちの何れの時間帯であるかを使用者に把握可能にすることができる。
【００２７】
続いて、変更スイッチ１７ｉが押下されたか否かを判定し（ステップＳ１２０）、変更スイッチ１７ｉが押下されたと判定したときには、対象時間帯の実行モードを未設定か設定済みかを判定する（ステップＳ１３０）。そして、対象時間帯の実行モードを未設定であると判定したときには、その実行モードに節電モードを設定すると共に（ステップＳ１５０）、複数時間帯モード表示部１８ｆにおける対象時間帯のランプを点灯させて（ステップＳ１６０）、ステップＳ１２０に戻る。
【００２８】
ステップＳ１３０で対象時間帯の実行モードを設定済みであると判定したときには、その実行モードが通常モードか節電モードかを判定する（ステップＳ１４０）。そして、対象時間帯の実行モードが節電モードであると判定したときには、その実行モードを通常モードに切り替えると共に（ステップＳ１７０）、複数時間帯モード表示部１８ｆにおける対象時間帯のランプを消灯させて（ステップＳ１８０）、ステップＳ１２０に戻る。一方、対象時間帯の実行モードが通常モードであると判定したときには、その実行モードを節電モードに切り替えると共に（ステップＳ１５０）、複数時間帯モード表示部１８ｆにおける対象時間帯のランプを点灯させて（ステップＳ１６０）、ステップＳ１２０に戻る。
【００２９】
このように、変更スイッチ１７ｉの押下回数に応じて、対象時間帯の実行モードを、未設定（ランプを点滅）、節電モード（ランプを点灯）、通常モード（ランプを消灯）、節電モード（ランプを点灯）、・・・と切り替えるのである。
【００３０】
ステップＳ１２０で変更スイッチ１７ｉが押下されていないと判定したときには、節電スイッチ１７ｈが押下されたか否かを判定し（ステップＳ１９０）、節電スイッチ１７ｈが押下されていないと判定したときには、ステップＳ１２０に戻る。
【００３１】
ステップＳ１９０で節電スイッチ１７ｈが押下されたときには、対象時間帯の実行モードを未設定か設定済みかを判定し（ステップＳ２００）、対象時間帯の実行モードを未設定であると判定したときには、その実行モードに通常モードを設定すると共に（ステップＳ２１０）、複数時間帯モード表示部１８ｆにおける対象時間帯のランプを消灯させる（ステップＳ２２０）。一方、対象時間帯の実行モードを設定済みであると判定したときには、このステップＳ２１０，Ｓ２２０の処理を実行しない。
【００３２】
次に、対象時間帯が最後の時間帯（２１〜２４時間後の時間帯）であるか否かを判定し（ステップＳ２３０）、対象時間帯が最後の時間帯でないと判定したときには、節電スイッチ１７ｈが短押しされたか長押しされたかを判定する（ステップＳ２４０）。そして、節電スイッチ１７ｈが短押しされたと判定したときには、対象時間帯に次の時間帯を設定して（ステップＳ２５０）、ステップＳ１１０に戻る。こうしてステップＳ１１０〜Ｓ２５０の処理を繰り返し実行することにより、対象時間帯を０〜３時間後の時間帯、３〜６時間後の時間帯、・・・の順に切り替えながら複数の時間帯のそれぞれの実行モードを設定する。
【００３３】
ステップＳ２３０で対象時間帯が最後の時間帯であると判定したときには、複数の時間帯の全ての実行モードの設定が終了したと判断し、本ルーチンを終了する。また、ステップＳ２３０で対象時間帯が最後の時間帯ではないと判定したときでも、ステップＳ２４０で節電スイッチ１７ｈが長押しされたと判定したときには、使用者が複数の時間帯の全ての実行モードの設定の終了を所望している（残余の時間帯については前回の本ルーチンの実行時の設定内容を保持すればよい）と判断し、本ルーチンを終了する。本ルーチンの実行を終了すると、制御装置４０は、現在モード表示部１８ｅにおける最初の時間帯（０〜３時間後）のランプを実行モードに応じて点灯または消灯させる。なお、対象時間帯が最後の時間帯ではないときに節電スイッチ１７ｈが長押しされたときには、残余の時間帯については、実行モードに通常モードを設定すると共にランプを消灯させるものとしてもよい。
【００３４】
このように、使用者による節電スイッチ１７ｈや変更スイッチ１７ｉの操作に従って１日のうちの異なる複数の時間帯のそれぞれの実行モードを設定することにより、使用者は、一度のタイミングで複数の時間帯のそれぞれの実行モードを設定することができる。この結果、１日のうちの通電モードと節電モードとの切替を所望する各タイミングで使用者が節電スイッチ１７ｈを操作する必要があるものに比して、使用者に煩わしさを感じさせるのを抑制することができる。また、複数時間帯モード表示部１８ｆにおける複数の時間帯のそれぞれのランプを実行モードに応じて点灯または消灯させることにより（図３参照）、複数の時間帯のそれぞれの実行モード（通常モードと節電モードとの切替タイミング）を使用者に把握可能にすることができる。
【００３５】
図５は、１日のうちの複数の時間帯のそれぞれの実行モードを設定する様子を示す説明図である。図５では、複数時間帯モード表示部１８ｆが図３の状態（０〜３時間後の時間帯、１２〜１８時間後の時間帯の実行モードが節電モードで、３〜１２時間後の時間帯、１８〜２４時間後の時間帯の実行モードが通常モード）となるように複数の時間帯のそれぞれの実行モードを設定する場合について説明する。また、図５では、操作パネル１６のうち節電スイッチ１７ｈや変更スイッチ１７ｉ、現在モード表示部１８ｅ、複数時間帯モード表示部１８ｆ周辺だけを示した。
【００３６】
最初に節電スイッチ１７ｈが長押しされると、現在モード表示部１８ｅのランプを点滅させると共に複数時間帯モード表示部１８ｆにおける０〜３時間後の時間帯のランプを点滅させ（図５（ａ）参照）、変更スイッチ１７ｉが押下されると、その時間帯の実行モードに節電モードを設定すると共にその時間帯のランプを点灯させる（図５（ｂ）参照）。続いて、節電スイッチ１７ｈが短押しされると、３〜６時間後の時間帯のランプを点滅させ（図５（ｃ）参照）、変更スイッチ１７ｉが２回短押しされると、その時間帯の実行モードに通常モードを設定すると共にその時間帯のランプを消灯させる（図５（ｄ）参照）。そして、節電スイッチ１７ｈが短押しされると、６〜９時間後の時間帯のランプを点滅させ（図５（ｅ）参照）、６〜９時間後の時間帯、・・・、２１〜２４時間後の時間帯の順に、上述したのと同様に実行モードを設定すると共にランプを点灯または消灯させ、最後に、節電スイッチ１７ｈが押下されると、０〜３時間後の時間帯の実行モードが節電モードであることを踏まえて、現在モード表示部１８ｅのランプを点灯させる（図５（ｆ）参照）。
【００３７】
以上説明した本実施形態の便座装置１０では、使用者により操作部１７の節電スイッチ１７ｈが操作されると、１日のうちの異なる複数の時間帯から対象時間帯を切り替えて設定し、使用者により変更スイッチ１７ｉが操作されると、対象時間帯の実行モードを通常モードと節電モードとで切り替えて設定する、ことにより複数の時間帯のそれぞれの実行モードを設定する。これにより、使用者は、一度のタイミングで１日のうちの複数の時間帯のそれぞれの実行モードを設定することができる。この結果、１日のうちの通電モードと節電モードとの切替を所望する各タイミングで使用者が節電スイッチ１７ｈを操作する必要があるものに比して、使用者に煩わしさを感じさせるのを抑制することができる。
【００３８】
また、本実施形態の便座装置１０では、複数時間帯モード表示部１８ｆにおける複数の時間帯のそれぞれのランプを実行モードに応じて点灯または消灯させる。これにより、複数の時間帯のそれぞれの実行モード（通常モードと節電モードとの切替タイミング）を使用者に把握可能にすることができる。
【００３９】
本実施形態では、複数の時間帯の全ての実行モードの設定を終了すると（図４の複数時間帯モード設定ルーチンの実行を終了すると）、その後は、複数時間帯モード表示部１８ｆの表示を保持する、即ち、現在の時間帯が切り替わっても（例えば、０〜３時間後の時間帯から３〜６時間後の時間帯に切り替わっても）表示を切り替えないものとした。しかし、図６に示すように、複数の時間帯のそれぞれの時間間隔（図６の場合、３時間間隔）で、複数の時間帯のそれぞれの実行モードの表示が現在の時間帯から順に並ぶように複数時間帯モード表示部１８ｆの表示を周期的に更新する（１つずつ左側にずらす）ものとしてもよい。こうすれば、通常モードと節電モードとの切替タイミングを使用者により容易に把握可能にすることができる。
【００４０】
本実施形態では、操作パネル１６の表示部１８は、複数時間帯モード表示部１８ｆとして専用のランプを有するものとした。しかし、図７に示すように、操作パネル１６Ｂの表示部１８Ｂは、複数時間帯モード表示部１８Ｂｆとして、乾燥温度表示部１８ｂ、便座温度表示部１８ｃ、温水温度表示部１８ｄとランプを兼用するものとしてもよい。こうすれば、ランプ数を削減したり、ランプの点灯数を減らして消費電力を低減したりすることができる。この場合、制御装置４０は、乾燥温度表示部１８ｂ、便座温度表示部１８ｃ、温水温度表示部１８ｄと複数時間帯モード表示部１８Ｂｆとの兼用部分に、基本的には乾燥温度や便座温度、温水温度を表示させ（乾燥温度表示部１８ｂや便座温度表示部１８ｃ、温水温度表示部１８ｄとして機能させ）、変更スイッチ１７ｉなどが押下されると、所定時間（例えば数分など）に亘って複数の時間帯のそれぞれの実行モードを表示させる（複数時間帯モード表示部１８Ｂｆとして機能させる）ものとしてもよい。また、この兼用部分に、変更スイッチ１７ｉなどが押下される毎に、乾燥温度や便座温度、温水温度と複数の時間帯のそれぞれの実行モードとを切り替えて表示させるものとしてもよい。これらのようにすれば、使用者の操作に応じて、兼用部分の表示内容を切り替えることができる。さらに、この兼用部分に、着座センサ２８により使用者の便座１２への着座を検知していないときには、乾燥温度や便座温度、温水温度と複数の時間帯のそれぞれの実行モードとのうちの一方を表示させ、使用者の便座１２への着座を検知しているときには、乾燥温度や便座温度、温水温度と複数の時間帯のそれぞれの実行モードとのうちの他方を表示させるものとしてもよい。こうすれば、使用者が便座１２に着座しているか否かに応じて、兼用部分の表示内容を切り替えることができる。なお、乾燥温度表示部１８ｂ、便座温度表示部１８ｃ、温水温度表示部１８ｄと複数時間帯モード表示部１８Ｂｆとを兼用するのに代えて、乾燥温度表示部１８ｂ、便座温度表示部１８ｃ、温水温度表示部１８ｄとのうちの一部と複数時間帯モード表示部１８Ｂｆとを兼用するものとしてもよい。
【００４１】
本実施形態では、操作パネル１６の表示部１８の複数時間帯モード表示部１８ｆは、複数の時間帯それぞれのランプを実行モードに応じて点灯または消灯するものとしたが、複数の時間帯のそれぞれのランプの色や輝度などを実行モードに応じて切り替えるものとしてもよい。
【００４２】
本実施形態では、操作パネル１６の表示部１８の複数時間帯モード表示部１８ｆは、複数の時間帯のそれぞれのランプを実行モードに応じて点灯または消灯するものとした。しかし、図８に示すように、操作パネル１６Ｃの表示部１８Ｃの複数時間帯モード表示部１８Ｃｆは、複数の時間帯のそれぞれについて通常モード用ランプと節電モード用ランプとを有し、複数の時間帯のそれぞれについて実行モードに応じて通常モード用ランプと節電モード用ランプとのうちの何れかのランプを点灯するものとしてもよい。また、図９に示すように、操作パネル１６Ｄの表示部１８Ｄの複数時間帯モード表示部１８Ｄｆは、複数の時間帯のそれぞれについて通常／節電モード用ランプと電源切用ランプとを有し、複数の時間帯のそれぞれについて通常モードと節電モードと電源切とのうちの何れを実行モードに設定するかに応じて通常／節電モード用ランプおよび電源切用ランプを点灯または消灯するものとしてもよい。図９の例では、複数の時間帯のそれぞれについて、実行モードが通常モードのときには、通常／節電モード用ランプおよび電源切用ランプを消灯し、実行モードが節電モードのときには、通常／節電モード用ランプだけ点灯し、実行モードが電源切のときには、電源切用ランプだけ点灯するものとした。
【００４３】
本実施形態では、１日を基準時刻から各３時間の８個に区分し、複数の時間帯のそれぞれの実行モードを設定して複数時間帯モード表示部１８ｆに表示させるものとした。しかし、１日を基準時刻から各６時間の４個に区分し、複数の時間帯のそれぞれの実行モードを設定して表示させるものとしてもよい。この場合、図１０の操作パネル１６Ｅの表示部１８Ｅの複数時間帯モード表示部１８Ｅｆのようにするものとしてもよい。また、１日を基準時刻から各４時間の６個に区分し、複数の時間帯のそれぞれの実行モードを設定して表示させるものとしてもよい。この場合、図１１の操作パネル１６Ｆの表示部１８Ｆの複数時間帯モード表示部１８Ｆｆのようにするものとしてもよい。さらに、１日を基準時刻から各２時間の１２個に区分し、複数の時間帯のそれぞれの実行モードを設定して表示させるものとしてもよい。この場合、図１２の操作パネル１６Ｇの表示部１８Ｇの複数時間帯モード表示部１８Ｇｆのようにするものとしてもよい。
【００４４】
本実施形態では、０〜３時間後の時間帯や３〜６時間後の時間帯など、基準時刻からの経過時間で１日のうちの複数の時間帯を定めて、複数の時間帯のそれぞれの実行モードを設定して複数時間帯モード表示部１８ｆに表示させるものとした。しかし、便座装置１０がリアルタイムクロックなどを備える場合、０〜３時の時間帯や３時〜６時の時間帯など、時刻で１日のうちの複数の時間帯を定めて、複数の時間帯のそれぞれの実行モードを設定して表示させるものとしてもよい。この場合、図１３の操作パネル１６Ｈの表示部１８Ｈの複数時間帯モード表示部１８Ｈｆのようにするものとしてもよい。
【００４５】
本実施形態では、操作パネル１６の操作部１７は、現在の実行モードを表示する現在モード表示部１８ｅと、複数の時間帯のそれぞれの実行モードを表示する複数時間帯モード表示部１８ｆと、を備えるものとしたが、複数時間帯モード表示部１８ｆを備えずに、現在モード表示部１８ｅだけを備えるものとしてもよい。
【００４６】
本実施形態では、複数の時間帯の総時間は、２４時間（例えば、各３時間の８区分など）であるものとしたが、２４時間未満（例えば、各３時間の４区分や各４時間の３区分など）であるものとしてもよい。
【００４７】
本実施形態では、操作パネル１６の操作部１７は、節電スイッチ１７ｈおよび変更スイッチ１７ｉを備えるものとしたが、節電スイッチ１７ｈだけを備えるものとしてもよい。この場合、節電スイッチ１７ｈが長押しされると、複数の時間帯のそれぞれの実行モードを設定可能にしたり、複数の時間帯から対象時間帯を切り替えて設定したり、複数の時間帯の全ての実行モードの設定を終了したりし、節電スイッチ１７ｈが短押しされると、対象時間帯の実行モードを通常モードと節電モードとで切り替えて設定するものとしてもよい。
【００４８】
本実施形態の主要な要素と課題を解決するための手段の欄に記載した発明の主要な要素との対応関係について説明する。本実施形態では、制御装置４０が「制御部」に相当し、操作部１７が「操作部」に相当し、表示部１８が「表示部」に相当する。
【００４９】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００５０】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００５１】
本発明は、便座装置の製造産業などに利用可能である。
【符号の説明】
【００５２】
１  便器、１０  便座装置、１２  便座、１４  便蓋、１６，１６Ｂ，１６Ｃ，１６Ｄ，１６Ｅ，１６Ｆ，１６Ｇ，１６Ｈ  操作パネル、１７  操作部、１７ａ  洗浄スイッチ、１７ｂ  ビデ洗浄スイッチ、１７ｃ  洗浄強さ調節スイッチ、１７ｄ  乾燥スイッチ、１７ｅ  便座温度調節スイッチ、１７ｆ  温水温度調節スイッチ、１７ｇ  停止スイッチ、１７ｈ  節電スイッチ、１７ｉ  変更スイッチ、１７ｊ  電源スイッチ、１８，１８Ｂ，１８Ｃ，１８Ｄ，１８Ｅ，１８Ｆ，１８Ｈ  表示部、１８ａ  洗浄強さ表示部、１８ｂ  乾燥温度表示部、１８ｃ  便座温度表示部、１８ｄ  温水温度表示部、１８ｅ  現在モード表示部、１８ｆ，１８Ｂｆ，１８Ｃｆ，１８Ｄｆ，１８Ｅｆ，１８Ｆｆ，１８Ｇｆ，１８Ｈｆ  複数時間帯モード表示部、２０  便座装置本体、２１  便座ヒータ、２２  温水ヒータ、２３  乾燥ヒータ、２４  乾燥ファン、２８  着座センサ、４０  制御装置、４２  ＣＰＵ、４４  ＲＯＭ、４６  ＲＡＭ、４８  タイマ。
【図１】
2018204381.tif 000003
【図２】
2018204381.tif 000004
【図３】
2018204381.tif 000005
【図４】
2018204381.tif 000006
【図５】
2018204381.tif 000007
【図６】
2018204381.tif 000008
【図７】
2018204381.tif 000009
【図８】
2018204381.tif 000010
【図９】
2018204381.tif 000011
【図１０】
2018204381.tif 000012
【図１１】
2018204381.tif 000013
【図１２】
2018204381.tif 000014
【図１３】
2018204381.tif 000015